(57)【要約】  手に感じる熱さや冷たさを軽減しつつ飲料用容器を安定的に把持することができる、飲料用容器の蓋、及びそれを備えた飲料用容器を提供する。飲料用容器（１）は、蓋（１０）、及び本体部（２０）を備えている。蓋（１０）は、本体部（２０）に取り付けられる蓋であり、天蓋部（１２）及びスリーブ部（１４）を有している。天蓋部（１２）は、本体部（２０）の開口部を覆うように本体部（２０）に固定される部分である。スリーブ部（１４）は、天蓋部（１２）と一体に設けられており、本体部（２０）の側面を包囲している。
2015186242.tif 000002
【特許請求の範囲】
【請求項１】
飲料用容器の本体部に取り付けられる蓋であって、  前記本体部の開口部を覆うように当該本体部に固定される天蓋部と、  前記天蓋部と一体に設けられ、前記本体部の側面を包囲するスリーブ部と、  を備えることを特徴とする飲料用容器の蓋。
【請求項２】
請求項１に記載の飲料用容器の蓋において、  前記スリーブ部は、高さ方向に伸縮可能である飲料用容器の蓋。
【請求項３】
請求項２に記載の飲料用容器の蓋において、  前記スリーブ部には、複数の環状の襞が形成されており、  前記スリーブ部は、前記環状の襞が広がることにより、前記高さ方向に伸長するように構成されている飲料用容器の蓋。
【請求項４】
請求項２又は３に記載の飲料用容器の蓋において、  前記スリーブ部は、伸長した状態で５ｃｍ以上の高さを有する飲料用容器の蓋。
【請求項５】
請求項２乃至４の何れかに記載の飲料用容器の蓋において、  前記スリーブ部は、縮小した状態で２ｃｍ以下の高さを有する飲料用容器の蓋。
【請求項６】
請求項１乃至５の何れかに記載の飲料用容器の蓋において、  前記スリーブ部は、前記天蓋部の上方に捲り上げることが可能である飲料用容器の蓋。
【請求項７】
請求項１乃至６の何れかに記載の飲料用容器の蓋において、  前記スリーブ部は、前記天蓋部から分離可能である飲料用容器の蓋。
【請求項８】
請求項７に記載の飲料用容器の蓋において、  前記天蓋部と前記スリーブ部との境界には、切取線が形成されている飲料用容器の蓋。
【請求項９】
請求項１乃至８の何れかに記載の飲料用容器の蓋において、  前記スリーブ部は、下方に向かって径が小さくなるテーパ状をしている飲料用容器の蓋。
【請求項１０】
請求項１乃至９の何れかに記載の飲料用容器の蓋において、  前記スリーブ部には、高さ方向に延在するスリットが形成されている飲料用容器の蓋。
【請求項１１】
請求項１乃至１０の何れかに記載の飲料用容器の蓋において、  前記スリーブ部の剛性は、前記天蓋部の剛性よりも小さい飲料用容器の蓋。
【請求項１２】
請求項１１に記載の飲料用容器の蓋において、  前記スリーブ部の厚みは、前記天蓋部の厚みよりも小さい飲料用容器の蓋。
【請求項１３】
請求項１乃至１２の何れかに記載の飲料用容器の蓋において、  前記天蓋部と前記スリーブ部とは、連結部材を介して互いに連結されており、  前記連結部材の剛性は、前記天蓋部の剛性及び前記スリーブ部の剛性の何れよりも小さい飲料用容器の蓋。
【請求項１４】
請求項１３に記載の飲料用容器の蓋において、  前記連結部材の厚みは、前記天蓋部の厚み及び前記スリーブ部の厚みの何れよりも小さい飲料用容器の蓋。
【請求項１５】
請求項１乃至１４の何れかに記載の飲料用容器の蓋において、  前記天蓋部と前記スリーブ部とは、一体成型されている飲料用容器の蓋。
【請求項１６】
請求項１乃至１５の何れかに記載の飲料用容器の蓋と、  前記蓋が取り付けられた前記本体部と、  を備えることを特徴とする飲料用容器。
【発明の詳細な説明】
【技術分野】
【０００１】  本発明は、飲料用容器の蓋、及びそれを備えた飲料用容器に関する。
【背景技術】
【０００２】  紙コップ等の飲料用容器に注がれた飲料を飲む際、当該飲料の温度如何によっては、容器を把持する手に耐え難い熱さ又は冷たさを感じることがある。従来から、かかる熱さや冷たさを軽減する手段として、段ボール等からなるスリーブ状の部材で容器の側面を覆うことが行われている（例えば特許文献１）。
【先行技術文献】
【特許文献】
【０００３】
【特許文献１】特開２０００−８５７４３号公報
【発明の概要】
【発明が解決しようとする課題】
【０００４】  上記手段によれば、スリーブ状部材を介して容器を把持することができるため、容器とそれを把持する手との間で熱が伝わりにくくなる。それにより、手に感じる熱さや冷たさが軽減される。しかしながら、スリーブ状部材が容器に対して滑りやすく、それゆえ手に持った容器が安定しにくいという問題があった。【０００５】  本発明は、上記課題に鑑みてなされたものであり、手に感じる熱さや冷たさを軽減しつつ飲料用容器を安定的に把持することができる、飲料用容器の蓋、及びそれを備えた飲料用容器を提供することを目的とする。
【課題を解決するための手段】
【０００６】  本発明による飲料用容器の蓋は、飲料用容器の本体部に取り付けられる蓋であって、上記本体部の開口部を覆うように当該本体部に固定される天蓋部と、上記天蓋部と一体に設けられ、上記本体部の側面を包囲するスリーブ部と、を備えることを特徴とする。【０００７】  この飲料用容器の蓋には、本体部の側面を包囲するスリーブ部が設けられている。したがって、この蓋が本体部に取り付けられた飲料用容器においては、スリーブ部を介して本体部を把持することができるため、手に感じる熱さや冷たさが軽減される。しかも、スリーブ部は、天蓋部と一体に設けられているため、天蓋部を通じて本体部に固定される。これにより、スリーブ部が本体部に対して滑ってしまうのを防ぐことができる。【０００８】  また、本発明による飲料用容器は、上記飲料用容器の蓋と、上記蓋が取り付けられた上記本体部と、を備えることを特徴とする。【０００９】  この飲料用容器においては、本体部に上述の蓋が取り付けられている。したがって、蓋のスリーブ部を介して本体部を把持することができるため、手に感じる熱さや冷たさが軽減される。しかも、スリーブ部は、上述のとおり、天蓋部と一体に設けられているため、天蓋部を通じて本体部に固定される。これにより、スリーブ部が本体部に対して滑ってしまうのを防ぐことができる。
【発明の効果】
【００１０】  本発明によれば、手に感じる熱さや冷たさを軽減しつつ飲料用容器を安定的に把持することができる、飲料用容器の蓋、及びそれを備えた飲料用容器が実現される。
【図面の簡単な説明】
【００１１】
【図１】本発明による飲料用容器の蓋及び飲料用容器の第１実施形態を示す斜視図である。
【図２】図１のII−II線に沿った切断面の構造を示す図である。
【図３】図１の飲料用容器においてスリーブ部が捲り上げられた状態を示す斜視図である。
【図４】図３のIV−IV線に沿った切断面の構造を示す図である。
【図５】本発明による飲料用容器の蓋及び飲料用容器の第２実施形態を示す斜視図である。
【図６】図５の飲料用容器においてスリーブ部が縮小した状態を示す斜視図である。
【図７】本発明による飲料用容器の蓋及び飲料用容器の第３実施形態を示す斜視図である。
【図８】変形例に係る飲料用容器の蓋の構造を説明するための図である。
【図９】他の変形例に係る飲料用容器の蓋及び飲料用容器を示す斜視図である。
【発明を実施するための形態】
【００１２】  以下、図面を参照しつつ、本発明の実施形態について詳細に説明する。なお、図面の説明においては、同一要素には同一符号を付し、重複する説明を省略する。（第１実施形態）
【００１３】  図１は、本発明による飲料用容器の蓋及び飲料用容器の第１実施形態を示す斜視図である。また、図２は、図１のII−II線に沿った切断面の構造を示す図である。図２においては、見やすさのため、切断面を線で示している。飲料用容器１は、蓋１０、及び本体部２０を備えている。本体部２０は、飲料が溜まる部分である。本実施形態において本体部２０は、一般的な紙コップである。図２からわかるように、本体部２０の開口部の縁２２は、外側に丸まるように形成されており、本体部２０の側面部から外側に向かって突出している。
【００１４】  蓋１０は、本体部２０に取り付けられる蓋であり、天蓋部１２及びスリーブ部１４を有している。天蓋部１２は、本体部２０の開口部を覆うように本体部２０に固定される部分である。天蓋部１２の中央部１２２は、盛り上がっている。この中央部１２２には、凹部１２２ａ及び穴部１２２ｂが形成されている。穴部１２２ｂは、凹部１２２ａの外側の領域に位置し、飲み口として機能する。
【００１５】  天蓋部１２の周縁部１２４は、上方に向かって窪んだ溝状をしており、本体部２０の縁２２と嵌合するように構成されている。周縁部１２４の外側の側面の一部分１２４ａには、内側に向かって突出するようにエンボス加工が施されている。エンボス加工が施された部分１２４ａは、周縁部１２４の周方向に沿って断続的に存在する。この部分１２４ａは、図２に示すように、本体部２０の縁２２の下に入り込み、周縁部１２４と縁２２とが互いに嵌合した状態を維持するためのストッパーとして機能する。
【００１６】  スリーブ部１４は、天蓋部１２と一体に設けられている。詳細には、スリーブ部１４は、天蓋部１２の下端に連結されている。スリーブ部１４は、円筒状をしており、本体部２０の側面を包囲している。このスリーブ部１４は、本体部２０を把持する際に、手が直接に触れる部分となる。それゆえ、把持のしやすさの観点から、スリーブ部１４の高さは、５ｃｍ以上であることが好ましい。他方、スリーブ部１４が不必要に長いと邪魔になる場合があるため、スリーブ部１４の高さは、８ｃｍ以下であることが好ましい。
【００１７】  図３に示すように、スリーブ部１４は、天蓋部１２の上方に捲り上げることが可能である。図４は、図３のIV−IV線に沿った切断面の構造を示す図である。図４においては、見やすさのため、切断面を線で示している。このようにスリーブ部１４が捲り上げられた状態においては、スリーブ部１４が天蓋部１２よりも高い位置に達する。それにより、天蓋部１２の上方には、スリーブ部１４で囲まれた空間が形成される。
【００１８】  これらの天蓋部１２及びスリーブ部１４の材料としては、例えば、プラスチックを用いることができる。本実施形態において天蓋部１２とスリーブ部１４とは、同一の材料からなり、一体成型されている。ただし、スリーブ部１４の厚みは、天蓋部１２の厚みよりも小さい。これにより、スリーブ部１４の剛性は、天蓋部１２の剛性よりも小さくなっている。
【００１９】  図１に戻って、天蓋部１２とスリーブ部１４との境界には、切取線１６が形成されている。切取線１６は、例えばミシン目である。この切取線１６に沿って切断することにより、天蓋部１２とスリーブ部１４とを互いに分離することができる。このように、スリーブ部１４は、天蓋部１２から分離可能である。ここで、スリーブ部１４が天蓋部１２から分離可能であるとは、ハサミやカッター等の道具を使用せずに、手で容易にスリーブ部１４を天蓋部１２から分離できるということである。
【００２０】  本実施形態の効果を説明する。飲料用容器１においては、本体部２０に蓋１０が取り付けられている。蓋１０には、本体部２０の側面を包囲するスリーブ部１４が設けられている。これにより、スリーブ部１４を介して本体部２０を把持することができる。このため、本体部２０に高温（低温）の飲料が入っている場合であっても、手に感じる熱さ（冷たさ）が軽減される。しかも、スリーブ部１４は、天蓋部１２と一体に設けられているため、天蓋部１２を通じて本体部２０に固定される。これにより、スリーブ部１４が本体部２０に対して滑ってしまうのを防ぐことができる。したがって、本実施形態によれば、手に感じる熱さや冷たさを軽減しつつ、飲料用容器１（本体部２０）を安定的に把持することができる。
【００２１】  スリーブ部１４の剛性は、天蓋部１２の剛性よりも小さい。これにより、スリーブ部１４の形状変化が天蓋部１２の形状変化に及ぼす影響を小さく抑えることができる。敷衍すると、スリーブ部１４は天蓋部１２と一体に設けられているため、スリーブ部１４の形状変化は、天蓋部１２の形状変化をもたらす場合がある。天蓋部１２の形状が変化すると、その周縁部１２４と本体部２０の縁２２との嵌合状態を不安定にするおそれがある。それゆえ、スリーブ部１４の形状変化が天蓋部１２の形状変化に及ぼす影響を小さく抑えることは、天蓋部１２が本体部２０に確実に固定された状態を維持する点で好ましい。
【００２２】  スリーブ部１４の厚みは、天蓋部１２の厚みよりも小さい。これにより、天蓋部１２及びスリーブ部１４の材料として同一の材料を用いた場合であっても、天蓋部１２よりも小さな剛性を有するスリーブ部１４を容易に実現することができる。
【００２３】  スリーブ部１４は、天蓋部１２から分離可能である。これにより、スリーブ部１４が不要なときはスリーブ部１４を蓋１０から取り除くことができるため、ユーザにとっての利便性が向上する。また、天蓋部１２とスリーブ部１４との境界に切取線１６が形成されている。これにより、スリーブ部１４が天蓋部１２から分離可能な構造を容易に実現することができる。
【００２４】  スリーブ部１４は、天蓋部１２の上方に捲り上げることが可能である。このように上方に捲り上げられたスリーブ部１４により、天蓋部１２上に載置した物を固定することができる。天蓋部１２上に載置する物としては、例えば、固く凍ったアイスクリームの入ったカップが考えられる。この場合、本体部２０内の飲料の熱によってアイスクリームの融解を促進することにより、アイスクリームが食べやすい固さになるまでの時間を短縮することが可能である。（第２実施形態）
【００２５】  図５は、本発明による飲料用容器の蓋及び飲料用容器の第２実施形態を示す斜視図である。飲料用容器２は、蓋３０、及び本体部２０を備えている。蓋３０は、本体部２０に取り付けられる蓋であり、天蓋部１２及びスリーブ部３４を有している。天蓋部１２の構造は、第１実施形態で説明したとおりである。
【００２６】  スリーブ部３４は、天蓋部１２と一体に設けられている。詳細には、スリーブ部３４は、天蓋部１２の下端に連結されている。スリーブ部３４は、円筒状をしており、本体部２０の側面を包囲している。このスリーブ部３４は、蛇腹状に形成されている。すなわち、スリーブ部３４には、複数の環状の襞が形成されている。スリーブ部３４は、この襞が広がることにより高さ方向（図５における上下方向）に伸長するとともに、襞が折り畳まれることにより高さ方向に縮小する。このように、スリーブ部３４は、高さ方向に伸縮可能である。図５は、スリーブ部３４が伸長した状態を示している。他方、スリーブ部３４が縮小した状態を図６に示している。
【００２７】  このスリーブ部３４は、本体部２０を把持する際に、手が直接に触れる部分となる。それゆえ、把持のしやすさの観点から、スリーブ部３４は、伸長した状態で５ｃｍ以上の高さを有することが好ましい。また、上記襞を折り畳んだときにスリーブ部３４が邪魔になりにくいようにするため、スリーブ部３４は、縮小した状態で２ｃｍ以下の高さを有することが好ましい。
【００２８】  スリーブ部３４は、スリーブ部１４（図３及び図４参照）と同様、天蓋部１２の上方に捲り上げることが可能である。また、天蓋部１２とスリーブ部３４との境界には、切取線３６が形成されている。この切取線３６に沿って切断することにより、天蓋部１２とスリーブ部３４とを互いに分離することができる。
【００２９】  本実施形態の効果を説明する。飲料用容器２においては、本体部２０に蓋３０が取り付けられている。蓋３０には、本体部２０の側面を包囲するスリーブ部３４が設けられている。これにより、スリーブ部３４を介して本体部２０を把持することができる。このため、本体部２０に高温（低温）の飲料が入っている場合であっても、手に感じる熱さ（冷たさ）が軽減される。しかも、スリーブ部３４は、天蓋部１２と一体に設けられているため、天蓋部１２を通じて本体部２０に固定される。これにより、スリーブ部３４が本体部２０に対して滑ってしまうのを防ぐことができる。したがって、本実施形態によれば、手に感じる熱さや冷たさを軽減しつつ、飲料用容器２（本体部２０）を安定的に把持することができる。
【００３０】  スリーブ部３４は、高さ方向に伸縮可能である。このため、必要に応じて、スリーブ部３４が伸長した状態（図５参照）とスリーブ部３４が縮小した状態（図６参照）とを切り替えることができる。前者の状態はスリーブ部３４を介して本体部２０を把持するのに適しているのに対し、後者の状態は本体部２０を直接に把持するのに適している。
【００３１】  スリーブ部３４は、蛇腹状に形成されている。これにより、伸縮性に乏しい材料を用いた場合であっても、高さ方向に伸縮可能なスリーブ部３４を容易に実現することができる。また、蛇腹の凹凸構造により、スリーブ部３４を介して本体部２０を把持する際、スリーブ部３４と本体部２０との接触部分の面積が小さくなる。これにより、本体部２０と手との間で熱が伝わりにくくなるため、手に感じる熱さや冷たさを一層軽減することができる。本実施形態のその他の効果は、第１実施形態について説明したとおりである。（第３実施形態）
【００３２】  図７は、本発明による飲料用容器の蓋及び飲料用容器の第３実施形態を示す斜視図である。飲料用容器３は、蓋４０、及び本体部２０を備えている。蓋４０は、本体部２０に取り付けられる蓋であり、天蓋部１２及びスリーブ部４４を有している。天蓋部１２の構造は、第１実施形態で説明したとおりである。
【００３３】  スリーブ部４４は、天蓋部１２と一体に設けられている。詳細には、スリーブ部４４は、天蓋部１２の下端に連結されている。スリーブ部４４は、円筒状をしており、本体部２０の側面を包囲している。このスリーブ部４４には、スリット４４ａが形成されている。スリット４４ａは、スリーブ部４４の下端を起点として、高さ方向に延びている。図７においては１つのスリット４４ａのみが示されているが、実際には、本体部２０の向こう側に、もう１つのスリット４４ａが形成されている。スリーブ部４４のその他の構成は、第１実施形態のスリーブ部１４と同様である。
【００３４】  天蓋部１２とスリーブ部４４との境界には、切取線４６が形成されている。この切取線４６に沿って切断することにより、天蓋部１２とスリーブ部４４とを互いに分離することができる。
【００３５】  本実施形態の効果を説明する。飲料用容器３においては、本体部２０に蓋４０が取り付けられている。蓋４０には、本体部２０の側面を包囲するスリーブ部４４が設けられている。これにより、スリーブ部４４を介して本体部２０を把持することができる。このため、本体部２０に高温（低温）の飲料が入っている場合であっても、手に感じる熱さ（冷たさ）が軽減される。しかも、スリーブ部４４は、天蓋部１２と一体に設けられているため、天蓋部１２を通じて本体部２０に固定される。これにより、スリーブ部４４が本体部２０に対して滑ってしまうのを防ぐことができる。したがって、本実施形態によれば、手に感じる熱さや冷たさを軽減しつつ、飲料用容器３（本体部２０）を安定的に把持することができる。
【００３６】  スリーブ部４４には、高さ方向に延在するスリット４４ａが形成されている。これにより、蓋４０を本体部２０に取り付けやすくなるとともに、スリーブ部４４を天蓋部１２の上方に捲り上げやすくなる。本実施形態のその他の効果は、第１実施形態について説明したとおりである。
【００３７】  本発明による飲料用容器の蓋及び飲料用容器は、上記実施形態に限定されるものではなく、様々な変形が可能である。上記実施形態においては、スリーブ部１４が天蓋部１２と同一の材料からなる例を示した。しかし、スリーブ部１４は、天蓋部１２と異なる材料からなっていてもよい。スリーブ部３４，４４についても同様である。
【００３８】  上記実施形態においては、スリーブ部１４が天蓋部１２と一体成型される例を示した。しかし、スリーブ部１４は、天蓋部１２に連結されていれば足り、天蓋部１２と一体成型されることは必須でない。スリーブ部３４，４４についても同様である。
【００３９】  上記実施形態においては、スリーブ部１４が天蓋部１２に直接連結された例を示した。しかし、スリーブ部１４は、図８に示すように、連結部材１８を介して天蓋部１２に連結されていてもよい。連結部材１８も、スリーブ部１４と同様、円筒状をしている。ただし、連結部材１８の厚みは、天蓋部１２の厚み及びスリーブ部１４の厚みの何れよりも小さい。これにより、連結部材１８の剛性は、天蓋部１２の剛性及びスリーブ部１４の剛性の何れよりも小さくなっている。この場合において、天蓋部１２の厚みとスリーブ部１４の厚みとの大小関係は任意である。すなわち、両者の厚みは等しくてもよいし、一方の厚みが他方の厚みよりも大きくてもよい。同様に、天蓋部１２の剛性とスリーブ部１４の剛性との大小関係も任意である。連結部材１８の材料としては、例えば、天蓋部１２及び／又はスリーブ部１４と同一の材料を用いることができる。また、連結部材１８は、天蓋部１２及び／又はスリーブ部１４と一体成型されてもよい。
【００４０】  このように剛性が小さい連結部材１８が天蓋部１２とスリーブ部１４との間に介在することにより、スリーブ部１４に加わった力が天蓋部１２まで伝わりにくくなる。これにより、スリーブ部１４の形状変化が天蓋部１２の形状変化に及ぼす影響を小さく抑えることができる。特に、スリーブ部１４自体の剛性を小さくしなくても、かかる効果を得ることができるため、スリーブ部１４の設計自由度の低下を回避することができる。
【００４１】  さらに、連結部材１８の厚みを小さくすることにより、天蓋部１２、スリーブ部１４及び連結部材１８の材料として同一の材料を用いた場合であっても、天蓋部１２及びスリーブ部１４の何れよりも小さな剛性を有する連結部材１８を容易に実現することができる。特に、スリーブ部１４の厚みを小さくしなくても、スリーブ部１４の形状変化が天蓋部１２の形状変化に及ぼす影響を小さく抑えることができるため、スリーブ部１４による断熱効果の低下を回避することができる。かかる連結部材１８を介して天蓋部１２に連結されてもよいことは、スリーブ部３４，４４についても同様である。
【００４２】  上記実施形態においては、スリーブ部１４が円筒状をしている例を示した。しかし、スリーブ部１４は、図９に示すように、下方に向かって径が小さくなるテーパ状をしていてもよい。同図においては、本体部２０の径が小さくなるにつれて、スリーブ部１４の径も小さくなっている。これにより、本体部２０とスリーブ部１４との間の隙間が小さくなる。このため、スリーブ部１４を介して本体部２０を把持した際、スリーブ部１４の形状の変化を小さく抑えることができる。このことは、天蓋部１２の形状変化を小さく抑えることにつながるため、天蓋部１２が本体部２０に確実に固定された状態を維持する点で好ましい。この場合、蓋１０を本体部２０に取り付けやすくするため、スリーブ部１４は径方向に伸縮可能であることが好ましい。このように下方に向かって径が小さくなるテーパ状をしていてもよいことは、スリーブ部３４，４４についても同様である。
【符号の説明】
【００４３】１  飲料用容器１０  蓋１２  天蓋部１２２  中央部１２２ａ  凹部１２２ｂ  穴部１２４  周縁部１２４ａ  エンボス加工が施された部分１４  スリーブ部１６  切取線１８  連結部材２０  本体部３０  蓋３４  スリーブ部４０  蓋４４  スリーブ部４４ａ  スリット
【図１】
2015186242.tif 000003
【図２】
2015186242.tif 000004
【図３】
2015186242.tif 000005
【図４】
2015186242.tif 000006
【図５】
2015186242.tif 000007
【図６】
2015186242.tif 000008
【図７】
2015186242.tif 000009
【図８】
2015186242.tif 000010
【図９】
2015186242.tif 000011
【国際調査報告】
2015186242.tif 000012
2015186242.tif 000013
2015186242.tif 000014
2015186242.tif 000015